(57)【要約】【課題】  潜熱回収型エコノマイザにおいて、腐食に対する耐性を高め、エコノマイザの寿命を長くする。【解決手段】  ボイラ１等からの排ガスを通す排ガス通路２中に伝熱管３を多段に配置し、伝熱管３内に給水を通すことで、排ガスの熱によって給水を予熱するエコノマイザ７において、多段に設けた伝熱管３を、煙道内の排ガスが結露し始める位置を境として排ガス流の上流側と下流側に区分し、給水は排ガス流の下流側伝熱管群９を通過した後で、排ガス流の上流側伝熱管群８を通過するようにしておき、前記上流側伝熱管群８は、溶存酸素を含んだ水に対して腐食しにくい材質で伝熱管を形成し、前記下流側伝熱管群９は、硫酸に対して腐食しにくい材質で伝熱管を形成する。【選択図】図１
2005061712.tif 000002
【特許請求の範囲】
【請求項１】
ボイラ等からの排ガスを通す排ガス通路中に伝熱管を多段に配置し、伝熱管内に給水を通すことで、排ガスの熱によって給水を予熱するエコノマイザにおいて、多段に設けた伝熱管を、排ガス流の上流側と下流側に区分し、給水は排ガス流の下流側伝熱管群を通過した後で、排ガス流の上流側伝熱管群を通過するようにしておき、前記上流側伝熱管群は、溶存酸素を含んだ水に対して腐食しにくい材質で伝熱管を形成し、前記下流側伝熱管群は、硫酸に対して腐食しにくい材質で伝熱管を形成するものであることを特徴とする耐食性を高めた潜熱回収型エコノマイザ。
【請求項２】
請求項１に記載の耐食性を高めた潜熱回収型エコノマイザにおいて、煙道内の排ガスが結露し始める位置よりも排ガス流上流側に配置した伝熱管を上流側伝熱管群とし、煙道内の排ガスが結露し始める位置よりも排ガス流下流側に配置した伝熱管を下流側伝熱管群としていることを特徴とする耐食性を高めた潜熱回収型エコノマイザ。
【発明の詳細な説明】
【技術分野】
【０００１】
本発明は、腐食に対する耐性を高めた潜熱回収型エコノマイザに関するものである。  
【背景技術】
【０００２】
ボイラから排出される排ガスを通す排ガス通路に伝熱管を設け、ボイラへ供給する水は排ガス通路の伝熱管を通した後でボイラへ給水し、ボイラの効率を向上させるエコノマイザを設けることが広く行われている。エコノマイザは、排ガス通路内に設けた伝熱管と、排出する排ガスの間で熱交換を行うものであり、排ガスから回収した熱によって伝熱管内を送られる給水を予熱するため、熱効率を向上させることができる。排ガスには燃焼によって発生した水分が気体の状態で含まれており、排ガスの顕熱だけでなく潜熱の回収も行うことで、より多くの熱を回収することも行われている。しかし、潜熱まで回収すると、排ガス中に含まれている硫黄酸化物などが硫酸となって伝熱管に付着し、伝熱管を腐食するという問題があった。
【特許文献１】実用新案登録第２５３８６２６号公報
【発明の開示】
【発明が解決しようとする課題】
【０００３】
本発明が解決しようとする課題は、潜熱回収型エコノマイザにおいて、腐食に対する耐性を高め、エコノマイザの寿命を長くすることにある。
【課題を解決するための手段】
【０００４】
ボイラ等からの排ガスを通す排ガス通路中に伝熱管を多段に配置し、伝熱管内に給水を通すことで、排ガスの熱によって給水を予熱するエコノマイザにおいて、多段に設けた伝熱管を、煙道内の排ガスが結露し始める位置を境として排ガス流の上流側と下流側に区分し、給水は排ガス流の下流側伝熱管群を通過した後で、排ガス流の上流側伝熱管群を通過するようにしておき、前記上流側伝熱管群は、溶存酸素を含んだ水に対して腐食しにくい材質で伝熱管を形成し、前記下流側伝熱管群は、硫酸に対して腐食しにくい材質で伝熱管を形成する。
【発明の効果】
【０００５】
本発明を実施することにより、エコノマイザの伝熱管に対する腐食を抑えることができ、エコノマイザの耐久性が高まり、エコノマイザの寿命を長くすることができる。
【発明を実施するための最良の形態】
【０００６】
本発明の一実施例を図面を用いて説明する。図１は本発明を実施しているボイラの概要図である。ボイラ１は燃焼装置４によって火炎の燃焼を行い、高温の燃焼ガスを発生させており、燃焼ガスによって缶水を加熱して蒸気を発生させる。缶水を加熱することによって温度の低下した後の排ガスは、排ガス通路２を通して排気しており、排ガス通路２の途中にエコノマイザ７を設ける。エコノマイザ７内には水平方向に伸びる伝熱管３を多数設けており、伝熱管３には多数の熱吸収用フィン５を取り付けておく。エコノマイザ７の部分に達した排ガスは、伝熱管３の間を下向きに流れ、伝熱管３と接触して伝熱管を加熱する。
【０００７】
エコノマイザ７の各伝熱管は、端部同士を連結して一続きの給水流路を構成している。エコノマイザ内への給水は、伝熱管群の最下段の伝熱管より行い、給水は順次伝熱管を通って加熱されながら最上段の伝熱管まで達し、最上段の伝熱管から取り出した後にボイラ１内へ送られる。そのため、伝熱管内を送られる給水の水温は、下段の伝熱管３ほど低く、上段の伝熱管３ほど高くなっている。そして、ボイラからエコノマイザ７へ送られた排ガスは、エコノマイザ内で伝熱管と熱交換を行いながら下向きに流れていくため、エコノマイザ内の下方へ行くほど排ガスの温度は低くなる。そのため、排ガス流の下流側にあたる下方の伝熱管表面では、温度の低下した排ガスからさらに熱を回収することになり、潜熱を取り出すため、排ガス中に含まれていた水分が結露する。
【０００８】
排ガス中に硫黄酸化物が含まれていた場合、排ガスが結露すると硫酸（希硫酸）が発生する。硫酸が発生し始める部分よりも排ガス流下流側（下段側）の伝熱管群を下流側伝熱管群９、硫酸の発生はない排ガス流上流側（上段側）の伝熱管群を上流側伝熱管群８とし、伝熱管群を２つに区分しておく。下流側伝熱管群９の材質は、硫酸による腐食に対して耐性の高い材料である耐硫酸鋼（Ｓ−ＴＥＮ１等）を使用し、上流側伝熱管群８の材質は、溶存酸素を含んだ水からの腐食に対して耐性の高い材料であるステンレス鋼（ＳＵＳ３０４等）を使用する。
【０００９】
硫酸の発生する下流側伝熱管群９では、硫酸が最大の腐食要因であり、腐食は伝熱管３の外側表面から発生する。下流側伝熱管群９は、硫酸に対して腐食しにくい耐硫酸鋼を使用することで、腐食を抑えることができる。上流側伝熱管群８では、硫酸は発生しないために硫酸による腐食は発生しない。しかし、溶存酸素を含んだ水を酸素が逃げることのできない状態で加熱すると、図２に記載のように腐食速度は水温に応じて上昇する。そのため、水温の低い下流側伝熱管群９では少なかった水側からの腐食は、水温の高い上流側伝熱管群８では多くなり、上流側伝熱管群８では管内面の水側からの腐食が問題となる。上流側伝熱管群８は水側からの腐食に対して耐性のあるステンレス鋼を使用することで、上流側伝熱管群８の腐食を抑えることができる。
【００１０】
エコノマイザの伝熱管群を、排ガスが結露し始める部分を境として区分し、上流側伝熱管群８と下流側伝熱管群９の材質を異ならせ、それぞれの場所に合った材質の伝熱管とすることで、伝熱管に対する腐食を抑えることができ、エコノマイザの耐久性を向上させることができる。
【図面の簡単な説明】
【００１１】
【図１】本発明を実施しているボイラの概要図
【図２】水温と腐食速度の関係を示したグラフ
【符号の説明】
【００１２】
１  ボイラ
２  排ガス通路
３  伝熱管
４  燃焼装置
５  熱吸収用フィン
６  火炎
７  エコノマイザ
８  上流側伝熱管群
９  下流側伝熱管群
【図１】
2005061712.tif 000003
【図２】
2005061712.tif 000004